(57)【要約】      （修正有）【課題】洗浄しやすく、コーヒーメーカーの使用をより安全且つ便利にし、時間と手間を省く豆挽きコーヒーメーカーを提供する。【解決手段】豆挽きコーヒーメーカーは、本体と、上蓋とを含み、本体の筐体には開口キャビティと、湯加熱器４とが設置され、本体内には互いに連通する豆挽きカップ５とコーヒーカップ６とが設置され、コーヒーカップが開口キャビティの上方に位置し、コーヒーカップと開口キャビティとの間には頂部プッシュスイッチ７が設置され、豆挽きカップ内にはコーヒーミル８が設置され、本体の筐体の頂部には湯加熱器の水管１０に接続され外周に環状のスプリングカバーが設けられるコックが設置され、上蓋の底面にはコック穴が設置され、上蓋が閉められた時、コックがコック穴を通過して湯加熱器の湯を豆挽きカップの真上に位置するスプレーキャビティ１６内に進入させる。【選択図】図１
0003206692.tif 000002
【実用新案登録請求の範囲】
【請求項１】
本体と、前記本体にヒンジで接続される上蓋とを含み、前記本体の筐体にはコーヒーポットを収容するための開口キャビティが設置され、前記筐体内に湯加熱器が設置される豆挽きコーヒーメーカーであって、
前記本体内には豆挽きカップとコーヒーカップとが設置され、
前記豆挽きカップと前記コーヒーカップとが連通し、
前記コーヒーカップが前記開口キャビティの上方に位置し、
前記コーヒーカップと前記開口キャビティとの間には頂部プッシュスイッチが設置され、
前記豆挽きカップ内にはモータによって駆動されるコーヒーミルが設置され、
前記本体の前記筐体の頂部には前記湯加熱器の水管に接続され外周に環状のスプリングカバーが設けられるコックが設置され、
前記上蓋の底面にはコック穴が設置され、
前記上蓋が閉められた時、前記コックが前記コック穴を通過して前記湯加熱器の湯を前記コックの水出口を介して前記上蓋内のスプレーキャビティ内に進入させ、前記スプレーキャビティが前記豆挽きカップの真上に位置する、
ことを特徴とする豆挽きコーヒーメーカー。
【請求項２】
前記スプリングカバーが環状のスリーブ部と前記スリーブ部内に設置されるコックバネとを含み、
前記スリーブ部が前記筐体の頂部を上下に運動し、
前記スリーブ部の内径が前記コックの外径に対応する、
ことを特徴とする請求項１に記載の豆挽きコーヒーメーカー。
【請求項３】
前記豆挽きカップと前記コーヒーカップとが一体成形されて一体式の豆挽きコーヒーカップになり、
前記豆挽きコーヒーカップが豆挽きキャビティとコーヒーキャビティと把持キャビティとを含み、
前記豆挽きキャビティと前記コーヒーキャビティとが前記把持キャビティの底面上に開口し、
前記把持キャビティには手動で前記豆挽きコーヒーカップを容易に前記本体内から移動して取り出したり入れたりするための縦壁部が設置され、
前記把持キャビティの底面上には更にスイッチベースが設置され、
前記スイッチベース内にはスイッチ接触パネルとスイッチバネとが設置され、
前記上蓋の底部には前記スイッチベースに対応するスイッチ押えブロックが設置される、
ことを特徴とする請求項１又は２に記載の豆挽きコーヒーメーカー。
【請求項４】
前記本体内に安全スイッチが設置され、
前記安全スイッチが前記湯加熱器と前記モータの主回路に設置され、前記安全スイッチの感触ロッドが前記スイッチ押えブロックの真下に位置し、前記上蓋が閉められた後、前記スイッチ押えブロックが前記スイッチバネの弾力を克服して前記スイッチ接触パネルにより前記安全スイッチをオンにする、
ことを特徴とする請求項３に記載の豆挽きコーヒーメーカー。
【請求項５】
前記豆挽きキャビティ内には、円筒の周壁に透かし彫り部が形成されたフレームと、前記フレームの前記透かし彫り部内に設置されたろ過網と、取っ手とを含む、筒状のろ過カップが設置される、
ことを特徴とする請求項４に記載の豆挽きコーヒーメーカー。
【請求項６】
前記ろ過カップの頂部開口上には、前記上蓋の前記スプレーキャビティの水流出領域の真下に位置する透かし彫り部を中部に設けたカップ蓋が設置される、
ことを特徴とする請求項５に記載の豆挽きコーヒーメーカー。
【考案の詳細な説明】
【技術分野】
【０００１】
本考案は、豆挽きコーヒーメーカーに関する。
【背景技術】
【０００２】
特許文献１には、２００７年１０月１７日に、コーヒーメーカー筐体内に豆挽き装置及び抽出装置が設置され、抽出容器の上方に抽出器具及びろ過網が設置され、抽出器具が上蓋に設置されて取外し可能であり、豆挽き装置には取外し可能にコーヒーメーカー筐体の取付キャビティに取り付けられる材料室が設置されるコーヒーメーカーが開示されている。特許文献１は、洗浄しやすいコーヒーメーカーを提供して、コーヒーメーカーの抽出容器が固定されて取外し不可能であるという欠点を解決することを目的とする。しかしながら、特許文献１は、コーヒーメーカーの豆挽き装置と抽出装置とは別々になっており、コーヒーを製作する時に挽かれたコーヒー粉を抽出容器内に入れる必要があって、操作が不便であるため、更に改進することが必要である。
【０００３】
一方、例えばコーヒー製作過程で人為的に上蓋を開ければ、湯がはね上がって皮膚にやけどする事故が発生しやすいため、コーヒー抽出装置の安全設計が特に重要である。
【先行技術文献】
【特許文献】
【０００４】
【特許文献１】中国実用新案第２００９６００４９号明細書
【考案の概要】
【考案が解決しようとする課題】
【０００５】
本考案は、従来の技術の欠点に対して、構造が合理的であり、洗浄しやすく、安全性が高い豆挽きコーヒーメーカーを提供して、コーヒーメーカーの使用をより安全且つ便利にし、時間と手間を省くことを、解決しようとする課題とする。
【課題を解決するための手段】
【０００６】
本考案がその課題を解決するために採用する技術的手段は、本体と、前記本体にヒンジで接続される上蓋とを含み、前記本体の筐体にはコーヒーポットを収容するための開口キャビティが設置され、前記筐体内に湯加熱器が設置される豆挽きコーヒーメーカーであって、前記本体内には豆挽きカップとコーヒーカップとが設置され、前記豆挽きカップと前記コーヒーカップとが連通し、前記コーヒーカップが前記開口キャビティの上方に位置し、前記コーヒーカップと前記開口キャビティとの間には頂部プッシュスイッチが設置され、前記豆挽きカップ内にはモータによって駆動されるコーヒーミルが設置され、前記本体の前記筐体の頂部には前記湯加熱器の水管に接続され外周に環状のスプリングカバーが設けられるコックが設置され、前記上蓋の底面にはコック穴が設置され、前記上蓋が閉められた時、前記コックが前記コック穴を通過して前記湯加熱器の湯を前記コックの水出口を介して前記上蓋内のスプレーキャビティ内に進入させ、前記スプレーキャビティが前記豆挽きカップの真上に位置する。
【０００７】
前記スプリングカバーが環状のスリーブ部と前記スリーブ部内に設置されるコックバネとを含み、前記スリーブ部が前記筐体の頂部を上下に運動し、前記スリーブ部の内径が前記コックの外径に対応する。
【０００８】
前記豆挽きカップと前記コーヒーカップとが一体成形されて一体式の豆挽きコーヒーカップになり、前記豆挽きコーヒーカップが豆挽きキャビティとコーヒーキャビティと把持キャビティとを含み、前記豆挽きキャビティと前記コーヒーキャビティとが前記把持キャビティの底面上に開口し、前記把持キャビティには手動で前記豆挽きコーヒーカップを容易に前記本体内から移動して取り出したり入れたりするための縦壁部が設置され、前記把持キャビティの底面上には更にスイッチベースが設置され、前記スイッチベース内にはスイッチ接触パネルとスイッチバネとが設置され、前記上蓋の底部には前記スイッチベースに対応するスイッチ押えブロックが設置される。
【０００９】
前記本体内に安全スイッチが設置され、前記安全スイッチが前記湯加熱器と前記モータの主回路に設置され、前記安全スイッチの感触ロッドが前記スイッチ押えブロックの真下に位置し、前記上蓋が閉められた後、前記スイッチ押えブロックが前記スイッチバネの弾力を克服して前記スイッチ接触パネルにより前記安全スイッチをオンにする。
【００１０】
前記豆挽きキャビティ内には、円筒の周壁に透かし彫り部が形成されたフレームと、前記フレームの前記透かし彫り部内に設置されたろ過網と、取っ手とを含む、筒状のろ過カップが設置される。
【００１１】
前記ろ過カップの頂部開口上には、前記上蓋の前記スプレーキャビティの水流出領域の真下に位置する透かし彫り部を中部に設けたカップ蓋が設置される。
【考案の効果】
【００１２】
本考案は以下のような有用な効果を有する。
（１）本考案は筐体内に安全コックを設置することで、本体の湯加熱器からの湯が安全に上蓋内に入って豆挽きキャビティ内のコーヒー粉に対するスプレーと抽出を実現することができ、上蓋が不意に開けられた時、コックのスプリングカバーがコック口を閉めて湯がはね上がることを防止してコーヒーメーカーの使用安全性を確保する。また、製品の構造が簡単で合理的で、コストが低く、占有空間が小さい。
（２）豆挽きキャビティとコーヒーキャビティとが連通し、豆挽きキャビティ内で抽出した後のコーヒーが直接コーヒーキャビティ内に入るので、抽出過程で研磨した後のコーヒー粉の位置を移動する必要がなく、製作過程全体が完全に自動化されて一気に成し遂げられ、コーヒーの製作が非常に便利である。ユーザがスイッチを押すだけで美味しいコーヒーを楽しむことができ、コーヒーメーカーでコーヒー豆又はコーヒー粉の両方を用いてコーヒーを入れることを可能にして異なるユーザの需要を満たして、製品の適用範囲を拡大する。
（３）豆挽きキャビティとコーヒーキャビティが本体から取外し可能であり、コーヒーの残渣の除去と洗浄が便利である。
（４）コーヒーメーカーの上蓋がコーヒー製作過程で開けられた時、筐体における安全スイッチがコーヒー豆を挽いているモータと湯加熱器の電源を切って、コーヒー豆を挽き湯を加熱する操作を停止して、事故の発生を防止する。
【図面の簡単な説明】
【００１３】
【図１】本考案の豆挽きコーヒーメーカーの構造についての模式図である。
【図２】コーヒーメーカーの蓋が開けられた状態の模式図である。
【図３】安全コックの構造についての模式図である。
【図４】コーヒーメーカーの蓋が開けられた状態の斜視図である。
【図５】安全コックの蓋が閉められた状態の構造についての模式図である。
【図６】コーヒーメーカーのろ過カップ組立位置の模式図である。
【考案を実施するための形態】
【００１４】
以下、添付図面及び実施形態を参照しながら、本考案を更に説明する。
【００１５】
図１−６に示すように、本実施形態の豆挽きコーヒーメーカーは、本体１と、本体１にヒンジで接続される上蓋２とを含み、本体１の筐体にはコーヒーポット３を収容するための開口キャビティが設置され、筐体内には湯加熱器４が設置され、本体１内には豆挽きカップ５とコーヒーカップ６とが設置され、両者が連通し、コーヒーカップ６が開口キャビティの上方に位置し、コーヒーカップ６と開口キャビティとの間には頂部プッシュスイッチ７が設置され、豆挽きカップ５内にはモータ９によって駆動されるコーヒーミル８が設置され、本体１の筐体の頂部には湯加熱器４の水管１０に接続され外周に環状のスプリングカバーが設けられるコック１１が設置され、上蓋２の底面にはコック穴１５が設置され、上蓋２が閉められた時、コック１１がコック穴１５を通過して湯加熱器４の湯をコック１１の水出口を介して上蓋２内のスプレーキャビティ１６内に進入させ、スプレーキャビティ１６が豆挽きカップ５の真上に位置する。
【００１６】
上記のスプリングカバーは、環状のスリーブ部１３と、スリーブ部１３内に設置されるコックバネ１２とを含み、スリーブ部１３が筐体の頂部を上下に運動し、スリーブ部１３の内径がコック１１の外径に対応する。
【００１７】
図２、図４及び図６に示すように、本実施形態の豆挽きコーヒーメーカーは、豆挽きカップ５とコーヒーカップ６とが一体成形されて一体式の豆挽きコーヒーカップになる。豆挽きコーヒーカッは、豆挽きキャビティと、コーヒーキャビティと、把持キャビティ２０とを含み、豆挽きキャビティとコーヒーキャビティとが把持キャビティ２０の底面上に開口し、把持キャビティ２０には手動で豆挽きコーヒーカップを容易に本体１内から移動して取り出したり入れたりするための縦壁部２１が設置され、把持キャビティ２０の底面上には更にスイッチベース２２が設置され、スイッチベース２２内にはスイッチ接触パネル２３とスイッチバネ２４が設置され、上蓋２の底部にはスイッチベース２２に対応するスイッチ押えブロック２６が設置される。本実施形態の豆挽きコーヒーメーカーは、本体１内に安全スイッチ２５が設置され、安全スイッチ２５が湯加熱器４とモータ９の主回路に設置され、安全スイッチ２５の感触ロッドがスイッチ押えブロック２６の真下に位置し、上蓋２が閉められた後、スイッチ押えブロック２６がスイッチバネ２４の弾力を克服してスイッチ接触パネル２３により安全スイッチ２５をオンにする。
【００１８】
本実施形態の豆挽きコーヒーメーカーは、本体１の筐体の正面に複数のキーが設けられた操作パネル１７が設置される。本実施形態の豆挽きコーヒーメーカーは、本体１の筐体の頂部に平面１８が形成される。本実施形態の豆挽きコーヒーメーカーは、豆挽きコーヒーカップが本体１から取り外されることが可能であり、本体１内に豆挽きコーヒーカップを収納する沈下キャビティが設置され、コーヒーミル８が豆挽きコーヒーカップの底部から豆挽きキャビティに伸び込み、コーヒーミル８の回転軸が豆挽きコーヒーカップの底部を通過し且つカップラによりモータ９の出力軸に接続される。
【００１９】
豆挽きキャビティ内には、円筒の周壁に透かし彫り部３２が形成されたフレーム３１と、フレーム３１の透かし彫り部３２内に設置されたろ過網と、取っ手３３とを含む、筒状のろ過カップ３０が設置される。
【００２０】
ろ過カップ３０の頂部開口上には、上蓋２のスプレーキャビティ１６の水流出領域の真下に位置する透かし彫り部を中部に設けたカップ蓋３５が設置される。
【００２１】
本実施形態の豆挽きコーヒーメーカーの作動原理は、モータ９がコーヒーミル８を駆動して回転させ、ブレードが豆挽きキャビティ内のコーヒー豆を研磨し破砕し、上蓋２の湯キャビティ内の湯が安全コックを介して豆挽きキャビティ内に入ってコーヒー粉を充分に潤かし、製作された美味しいコーヒーが連通口からコーヒーキャビティに入ってからコーヒーポット３内に流入することである。
【符号の説明】
【００２２】
１  本体
２  上蓋
３  コーヒーポット
４  湯加熱器
５  豆挽きカップ
６  コーヒーカップ
７  頂部プッシュスイッチ
８  コーヒーミル
９  モータ
１０  水管
１１  コック
１２  コックバネ
１３  スリーブ部
１５  コック穴
１６  スプレーキャビティ
１７  操作パネル
１８  平面
２０  把持キャビティ
２１  縦壁部
２２  スイッチベース
２３  スイッチ接触パネル
２４  スイッチバネ
２５  安全スイッチ
２６  スイッチ押えブロック
３０  ろ過カップ
３１  フレーム
３２  透かし彫り部
３３  取っ手
３５  カップ蓋
【図１】
0003206692.tif 000003
【図２】
0003206692.tif 000004
【図３】
0003206692.tif 000005
【図４】
0003206692.tif 000006
【図５】
0003206692.tif 000007
【図６】
0003206692.tif 000008